(57)【要約】【課題】複数の番組を連続して録画する際、各々番組の終了時刻がきたら、自動的に録画中の内容と録画情報を分割して録画履歴を生成することにより、連続で録画した複数の番組の各々を簡単に検索できる記録再生装置を実現することを目的とする。【解決手段】番組情報要求部１０７がインターネット上に存在する番組情報供給サーバー１１１に対して現在記録されている番組の情報を要求し、番組情報供給サーバー１１１から入手した終了時刻情報と時計部１０１からの現在時刻とが一致するのを終了検出部１１０が検出し、その結果によって制御部１０４が記録再生部１０５や録画情報記憶部１０６に分割指令を出し、録画番組の履歴管理を行うことにより、再生の際、連続で録画した複数の番組の各々を簡単に検索することが可能となる。【選択図】  図１
2004259314.tif 000002
【特許請求の範囲】
【請求項１】
選局された番組を記録媒体に対し記録再生する記録再生装置であって、
前記記録媒体に記録された番組に関する情報を記憶する録画情報記憶部と、番組に関する情報を提供する番組情報供給サーバーと所定の通信網を介して接続する接続部と、前記接続部を介し前記番組情報供給サーバーに所望の番組の情報を要求する番組情報要求部と、前記接続部を介し前記要求に伴い前記番組情報供給サーバーから得た情報から番組の終了時刻を抜き出す番組情報検出部と、現時刻が前記終了時刻に至ったことを検知する終了検出部と、前記検知に基づき番組に関する情報を分割して記憶するよう前記録画情報記録部を制御する制御部とを備えた記録再生装置。
【請求項２】
前記番組情報要求部は、現在録画している番組に対する情報を要求することを特徴とする請求項１記載の記録再生装置。
【請求項３】
現在の日時を運針している時計部と、録画の開始や停止などの操作を行う操作部と、放送チャンネルを選局する選局部と、前記選局部で選局された番組を記録する記録再生部と、前記記録再生部に記録された番組に関する情報を記憶しておく録画情報記憶部と、外部の番組情報を供給する番組情報供給サーバーに通信網を介して接続する接続部と、前記接続部を通して前記番組情報供給サーバーへ現在記録されている番組の情報を要求する番組情報要求部と、前記接続部を通して前記番組情報供給サーバーから送られてくる情報の中から少なくとも現在記録されている番組の終了時刻を抜き出す番組情報検出部と、前記番組情報検出部から抜き出した番組終了時刻と前記時計部からの現在時刻との一致を検出する終了検出部と、前記終了検出部からの検出結果に基づき前記記録再生部に、現在記録中の番組を分割するように指令し、前記録画情報記憶部に録画情報を分割するように指令する制御部とを備えた記録再生装置。
【発明の詳細な説明】
【０００１】
【発明の属する技術分野】
本発明は、光ディスクビデオレコーダ等のような映像信号を記録再生する装置であって、特にインターネットに接続できる機能を有する記録再生装置に関する。
【０００２】
【従来の技術】
従来、光ディスクビデオレコーダやビデオテープレコーダのような録画再生装置は、記録された映像の内容が簡単に確認／検索できるように、記録した映像に関する情報を記憶した一覧表を備える場合がある。例えば、ビデオテープレコーダにおいて一覧表を有するものとしては、特許文献１に記載したものが挙げられる。
【０００３】
以下に従来の記録再生装置について、図４を用いて説明する。図４は、従来の記録再生装置の構成を示すブロック図である。同図において、２０１は現在の日時を運針している時計部であり、２０２は記録開始や停止をユーザーが操作するための操作部であり、２０３は放送チャンネルを選局する選局部であり、２０４は記録再生装置の各部を制御する制御部であり、２０５は選局部２０３で選局された番組（映像信号）を記録する記録再生部であり、２０６は記録再生部２０５に記録された番組に関する録画情報（記録開始時刻、記録終了時刻、記録したチャンネル、記録媒体上の記録位置情報など）を記憶する録画情報記憶部であり、２０７は制御部２０４からのデータを記録再生部２０５からの映像信号に重畳し、外部のモニター等（図示せず）に出力するオン・スクリーン・ディスプレイ回路（ＯＳＤ）である。
【０００４】
以上のように構成された従来の映像再生装置について、以下その動作について説明する。ユーザーが操作部２０２にて、番組の記録開始操作を行うと、操作部２０２は、制御部２０４へ記録開始指令を送る。制御部２０４が、操作部２０２からの指令を受けると、記録再生部２０５に選局部２０３で選局された番組の記録を開始させ、また、時計部２０１より現在（記録開始時）の日時を、選局部２０３より現在受信中（即ち、記録している）チャンネルを、記録再生部２０５より記録媒体上の記録位置情報を入手し、録画情報記憶部２０６に記憶させる。その後、ユーザーが操作部２０２にて、番組の記録停止操作を行うと、操作部２０２は、制御部２０４へ記録停止指令を送る。制御部２０４が操作部２０２からの指令を受けると、記録再生部２０５に対して番組の記録を停止させ、また、時計部２０１より現在（録画停止時）の日時を入手し、先程、録画情報記憶部２０６に記憶させた録画情報に、記録を停止した時刻を追加する。ユーザーが番組の記録開始／停止を繰り返すごとに、上記のような動作を行うことで、録画情報記憶部２０６には、今までにどのような内容が記録されたかが記憶される。
【０００５】
この録画情報を、再生の際に録画情報記憶部２０６から読み出し、ＯＳＤ２０７を介して、図５に示すように、記憶されている内容（録画日、チャンネル、録画時間、記録スピードのモードなど）を一覧表示させる。そして、このような一覧表を表示させることで、ユーザーが見たい映像や番組の検索をする際に役立てることができる。
【０００６】
【特許文献１】
特開平６−６０６２０号公報
【０００７】
【発明が解決しようとする課題】
しかしながら上記の従来の構成では、例えば、ある番組Ａとこれに続く番組Ｂを連続して録画した場合（例えば、図５において、１０／５（土）、ＣＨ４、１９：００〜２１：００の録画とは、２つの３０分番組と１つの６０分番組を連続して記録してある状態とすると）、録画情報はひとつになってしまい、続けて録画された番組Ｂを検索し、頭出しすることが、簡単にできないという問題点を有していた。
【０００８】
本発明は上記従来の問題点を解決するもので、番組の終了時刻と現在時刻が一致したら自動的に、録画している番組を分割するとともに、録画情報も分割することにより、連続して録画された番組の２つめ以降の番組を、簡単に検索できる記録再生装置を提供することを目的とする。
【０００９】
【課題を解決するための手段】
この目的を達成するために本発明の記録再生装置は、選局された番組を記録媒体に対し記録再生する記録再生装置であって、記録媒体に記録された番組に関する情報を記憶する録画情報記憶部と、番組に関する情報を提供する番組情報供給サーバーと所定の通信網を介して接続する接続部と、接続部を介し番組情報供給サーバーに所望の番組の情報を要求する番組情報要求部と、接続部を介し要求に伴い番組情報供給サーバーから得た情報から番組の終了時刻を抜き出す番組情報検出部と、現時刻が終了時刻に至ったことを検知する終了検出部と、検知に基づき番組に関する情報を分割して記憶するよう録画情報記録部を制御する制御部とを備えたものである。
【００１０】
この構成によって、連続して２つ以上の番組を録画する際にも、各々の番組について録画内容および録画情報を分割することができ、再生時は、見たい映像を簡単に検索できる記録再生装置を提供することができる。
【００１１】
【発明の実施の形態】
本発明の請求項１に係る発明は、選局された番組を記録媒体に対し記録再生する記録再生装置であって、前記記録媒体に記録された番組に関する情報を記憶する録画情報記憶部と、番組に関する情報を提供する番組情報供給サーバーと所定の通信網を介して接続する接続部と、前記接続部を介し前記番組情報供給サーバーに所望の番組の情報を要求する番組情報要求部と、前記接続部を介し前記要求に伴い前記番組情報供給サーバーから得た情報から番組の終了時刻を抜き出す番組情報検出部と、現時刻が前記終了時刻に至ったことを検知する終了検出部と、前記検知に基づき番組に関する情報を分割して記憶するよう前記録画情報記録部を制御する制御部とを備えたものである。
【００１２】
また、請求項２に係る発明は、上記請求項１に係る発明において、前記番組情報要求部は、現在録画している番組に対する情報を要求することを特徴とするものである。
【００１３】
また、請求項３に係る発明は、現在の日時を運針している時計部と、録画の開始や停止などの操作を行う操作部と、放送チャンネルを選局する選局部と、前記選局部で選局された番組を記録する記録再生部と、前記記録再生部に記録された番組に関する情報を記憶しておく録画情報記憶部と、外部の番組情報を供給する番組情報供給サーバーに通信網を介して接続する接続部と、前記接続部を通して前記番組情報供給サーバーへ現在記録されている番組の情報を要求する番組情報要求部と、前記接続部を通して前記番組情報供給サーバーから送られてくる情報の中から少なくとも現在記録されている番組の終了時刻を抜き出す番組情報検出部と、前記番組情報検出部から抜き出した番組終了時刻と前記時計部からの現在時刻との一致を検出する終了検出部と、前記終了検出部からの検出結果に基づき前記記録再生部に、現在記録中の番組を分割するように指令し、前記録画情報記憶部に録画情報を分割するように指令する制御部とを備えたものである。
【００１４】
これらにより、録画する番組に関する情報を番組情報供給サーバーから取得し、取得した情報の中の番組終了時刻によって番組の区切りを検知し、これに基づいて番組毎の録画情報を分割しながら記憶することができる。よって、連続して番組を記録した場合であっても、再生時には個々の番組を選択的に検索することが可能となる。
【００１５】
以下、本発明の実施の形態による記録再生装置について、図面を用いて説明する。
【００１６】
（実施の形態１）
図１は、本発明の実施の形態１における記録再生装置の構成を示すブロック図である。図１において、１００が本実施の形態による記録再生装置であり、１１１は番組情報を管理及び配信する番組情報供給サーバーである。記録再生装置１００は、インターネット網などの所定の通信網を介して番組情報供給サーバー１１１に接続されている。
【００１７】
また、同図において、１０１は現在の日時を運針していると時計部であり、１０２は映像信号及び音声信号の記録開始や停止をユーザーが操作するための操作部であり、１０３は放送チャンネルを選局する選局部であり、１０４は記録再生装置１００の各部を制御する制御部であり、１０５は選局部１０３で選局した番組（映像音声）を記録する記録再生部であり、１０６は記録再生部１０５に記録された番組に対応する録画情報（記録開始時刻、記録終了時刻、記録したチャンネル、記録媒体上の記録位置情報等）を記憶する録画情報記憶部であり、１１２は制御部１０４からのデータを記録再生部１０５からの映像信号に重畳し、外部のモニター等（図示せず）に出力するオン・スクリーン・ディスプレイ回路（ＯＳＤ）である。１０８は外部のインターネット上に存在する番組情報供給サーバー１１１に接続するための接続部であり、１０７はその番組情報供給サーバー１１１に番組情報を要求する番組情報要求部であり、１０９はその番組情報供給サーバー１１１から送られてきた情報の中から番組情報を検出して抜き出す番組情報検出部であり、１１０は番組検出部１０９から対象となる番組の終了時刻を入手し、時計部１０１から現在の時刻を入手し、それらを比較して一致したら終了時刻と共に制御部１０４へ知らせる終了検出部である。
【００１８】
ここで、番組情報供給サーバー１１１は、例えば、インターネット上に存在し、番組情報を管理している。番組情報供給サーバー１１０で管理する番組情報は、例えば、放送番組表として、番組情報を管理しており、日時、チャンネルなどの情報によって、番組を特定することができ、特定した番組に関する情報を配信するものである。
【００１９】
以上のように構成された本実施の形態による記録再生装置について、図２に示すフローチャートを参照しながら、以下その動作について説明する。
【００２０】
ユーザーが操作部１０２にて、番組の記録開始操作を行うと、操作部１０２は、制御部１０４へ録画開始指令を送る。制御部１０４が、操作部１０２からの指令を受けると、記録再生部１０５に選局部１０３が選局している番組の記録を開始させ（図２に示すステップＳ３０１）、記録再生部１０５から入手した記録媒体上の記録位置情報とともに、時計部１０１より入手した現在（記録開始時）の日時ＴＳ、選局部１０３より入手した現在受信中のチャンネルＣＨを録画情記憶部１０６に（あるいは一時的に）記憶させ（Ｓ３０２）、その情報（記録開始の日時ＴＳとチャンネルＣＨ）を番組情報要求部１０７に送ると、番組情報要求部１０７は、接続部１０８を通して外部のインターネット上の存在する番組情報供給サーバー１１１に、その情報を送る（Ｓ３０３）。
【００２１】
要求情報を受け取った番組情報供給サーバー１１１は、送られてきた時刻ＴＳに送られてきたチャンネルＣＨで放送されている番組を特定し、その番組の終了時刻ＴＥを送られてきた情報に付加して送り返す。番組情報供給サーバー１１１より送られてきた情報は、接続部１０８を通して番組情報検出部１０９に送られ、番組情報検出部１０９は、そこから終了時刻情報を取得して、終了検出部１１０に送る（Ｓ３０４）。終了検出部１１０は番組情報検出部１０９から入手した終了時刻ＴＥと時計部１０１から入手した現在の日時とを比較し（Ｓ３０５）、それらが一致したら制御部１０４へ伝える。制御部１０４は、終了検出部１１０から一致したことを知らされると、記録再生部１０５に、現在記録している内容を分割するように指令し、また録画情報記憶部１０６にも、録画情報を分割するように指令する（Ｓ３０６）。制御部１０４はその後、再度、時計部１０１から入手した現在日時と、選局部１０３から入手した現在録画しているチャンネルとを番組情報要求部１０７に送る（Ｓ３０２）。番組情報要求部１０７は、再度、接続部１０８を通して外部のインターネット上の存在する番組情報供給サーバー１１１に、その情報を送る（Ｓ３０３）。情報を送られてきた番組情報供給サーバー１１１は、送られてきた時刻に送られてきたチャンネルで放送されている番組の終了時刻を送られてきた情報に付加して送り返す。番組情報供給サーバー１１１より送られてきた情報は、接続部１０８を通して再度、番組情報検出部１０９に送られ、番組情報検出部１０９は、そこから終了時刻情報を取得して終了検出部１１０に送るといったサイクルを繰り返す。
【００２２】
その後、ユーザーが操作部１０２にて、映像／音声の記録停止操作を行うと、操作部１０２は、制御部１０４へ録画停止指令を送る。制御部１０４が、操作部からの指令を受けると（Ｓ３０７）、記録再生部１０５に映像音声の記録を停止させ、また、時計部１０１より現在（記録終了時）の日時を入手し、最後に書き込んだ録画情報に録画を停止した時刻ＴＥを追加する。ユーザーが録画開始／停止を繰り返すごとに、上記のような動作を行うことで、録画情報記憶部１０６には、過去どのような内容が録画されたかが記憶される。
【００２３】
この録画情報を、再生の際に録画情報記憶部１０６から読み出し、ＯＳＤ１１２を介して、図３に示すように、記憶されている録画情報（録画日、チャンネル、録画時間、記録スピードのモード等）を一覧表示させる。図３では、本実施の形態により、１０／５（火）の１９：００〜２１：００に連続して録画された番組が３つに分かれて記憶されている。そして、ユーザーが見たい映像を検索する際に、連続して記録した番組が各々分かれて表示されるので、見たい番組を個々に指定することができ、簡便に検索できるようになる。
【００２４】
以上のように本実施の形態によれば、外部の番組情報供給サーバー１１１より現在録画中の番組の終了時刻を入手し、現在時刻がその終了時刻になった時点で、自動的に録画内容および録画情報を分割することにより、連続で記録された複数の番組でもそれぞれの番組を簡単に検索ができるといった点で使い勝手に非常に優れている。
【００２５】
なお、上記実施の形態では、ユーザーの操作により録画の開始と終了を行う場合について説明したが、タイマー予約により録画の開始と終了を行うように構成してもよい。
【００２６】
また、上記実施の形態では、録画情報記憶部１０６に記録する録画情報の一例として、録画日時、チャンネル、記録のモードを示したが、これらに限定されるものではなく、番組タイトル、ジャンル、出演者、概略など、番組情報供給サーバー１１１が管理し配信可能な情報であれば、番組情報として記録するように構成できることは言うまでもない。
【００２７】
また、上記実施の形態では、記録再生部１０５における記録媒体について特に言及しなかったが、磁気テープ、磁気ディスク、光ディスク、光磁気ディスク、半導体メモリ等、いかなる媒体であってもよい。
【００２８】
また、上記実施の形態では、録画情報記憶部１０６における具体的構成について特に言及しなかったが、不揮発性の半導体メモリが望ましい。また、揮発性の半導体メモリであっても、録画情報を記録再生部１０５の記録媒体に記録するように構成し、電源のオンオフ毎や記録媒体の着脱毎に録画情報記憶部１０６との間で録画情報のやり取りを行うように構成すればよい。
【００２９】
【発明の効果】
以上のように本発明は、所定の通信網に存在する番組情報供給サーバーから録画番組の終了時刻を取得し、録画中に終了検出部で番組の終了時間が来たことを検出して自動的に番組を分割させることにより、今まで頭出しが難しかった連続で記録された複数の番組でも簡単に検索ができるといった点で使い勝手に優れている記録再生装置を提供することができるという優れた効果が得られる。
【図面の簡単な説明】
【図１】本発明の実施の形態１による記録再生装置の構成を示すブロック図
【図２】同記録再生装置の動作を示すフローチャート
【図３】同記録再生装置における録画情報の表示例を示す図
【図４】従来の記録再生装置の構成を示すブロック図
【図５】従来の記録再生装置における録画情報の表示例を示す図
【符号の説明】
１００  記録再生装置
１０１  時計部
１０２  操作部
１０３  選局部
１０４  制御部
１０５  記録再生部
１０６  録画情報記憶部
１０７  番組情報要求部
１０８  接続部
１０９  番組情報検出部
１１０  終了検出部
１１１  番組情報供給サーバー
１１２  ＯＳＤ
【図１】
2004259314.tif 000003
【図２】
2004259314.tif 000004
【図３】
2004259314.tif 000005
【図４】
2004259314.tif 000006
【図５】
2004259314.tif 000007